(57)【要約】【課題】  複数の記録層を有する書き換え可能型の光ディスクをファイナライズ処理する場合に、記録管理情報の読み出しに要する時間及びダミーデータを光ディスクに記録するために費やされる時間を短縮し、ファイナライズ処理が短時間でできる光ディスク記録方法を提供する。  【解決手段】  本発明によれば、複数の記録層を有する書き換え可能な光ディスク２へのユーザーデータの記録終了後、ユーザーデータを記録した記録層とは別の記録層の未記録領域にダミーデータを記録し、ダミーデータ記録領域１８の終端部にダミーデータの記録管理情報（ダミーデータ条件領域１９）を記録することに加えて、ダミーデータを記録する場合の光ディスク２の回転速度が光ディスク装置１における記録可能な最大速度であるため、ファイナライズ処理が短時間で終了できる。【選択図】  図４
2009032353.tif 000002
【特許請求の範囲】
【請求項１】
片面に複数の記録層を有する書き換え可能な光ディスクに情報を記録する光ディスク記録方法であって、
前記光ディスクにユーザーデータを記録しユーザーデータ記録領域を形成するユーザーデータ記録ステップと、
前記ユーザーデータ記録ステップ終了後、前記ユーザーデータ記録領域の終端からユーザーデータの記録管理情報を記録し記録条件領域を形成する、ユーザーデータ管理情報記録ステップと、
前記ユーザーデータ管理情報記録ステップ終了後に、前記ユーザーデータを記録した記録層とは別の記録層の未記録領域に、ダミーデータを記録しダミーデータ記録領域を形成するダミーデータ記録ステップと、
前記ダミーデータ記録ステップ終了後、前記ダミーデータ記録領域の終端からダミーデータの記録管理情報を記録しダミーデータ条件領域を形成する、ダミーデータ管理情報記録ステップと、
ファイナライズ処理の指令を受取った場合に、前記ダミーデータ条件領域から、ダミーデータの記録条件を読み出すダミーデータ記録条件読み出しステップと、
前記ダミーデータ記録条件読み出しステップにて読み出した、ダミーデータの記録条件にて前記光ディスクの各層にある未記録領域にダミーデータを記録し、ファイナライズ処理を行うファイナライズ処理ステップと、
を含むことを特徴とする光ディスク記録方法。
【請求項２】
前記ダミーデータを記録する場合の前記光ディスクの回転速度を、前記ダミーデータの記録を行う光ディスク装置における記録可能な最大速度とすることを特徴とする請求項１記載の光ディスク記録方法。
【発明の詳細な説明】
【技術分野】
【０００１】
本発明は、書き換え可能な光ディスクのファイナライズ処理を迅速に行うことができる光ディスク記録方法に関する。
【背景技術】
【０００２】
所定の記録再生装置を用いて光ディスクにユーザーデータの記録を行った後、この光ディスクを再生する際に、前記した記録再生装置以外の記録再生装置を用いても、再生できるようにするため、光ディスクのユーザーデータを記録した領域以外の未記録領域にダミーデータを記録するファイナライズ処理を行うことが必要とされている。
光ディスクの記録容量が大きい場合には、記録領域に小容量のユーザーデータを記録した後は、残りの未記録領域は大きな容量を残しているために、この未記録領域にダミーデータを記録するのに大幅な時間が必要とされ、ファイナライズ処理に長時間を要していた。特に、記録層が複数の場合、記録用のレーザ光の照射位置の移動距離が長くなり、一段と時間がかかっていた。
このため、迅速にファイナライズ処理を終了して、次の記録再生動作に移行することができなかった。特許文献１には、２層の記録層を有する書き換え可能な光ディスクのファイナライズ処理を迅速に行わせる方法について記載されている。
【０００３】
特許文献１に記載されている発明は、記録用レーザ光を第１の記録層に照射して、片面に２層の記録層を有する書き換え可能な光ディスクの内周側から外周側に向かって、記録領域の途中までユーザーデータの記録を終了した場合に、このデータ終了位置でレーザ光の焦点位置を第１の記録層から第２の記録層に移し、ユーザーデータを記録した第１の記録層の記録領域と重なった第２の記録層の未記録領域に第１の記録層のユーザーデータの記録条件と同じ記録条件でダミーデータを記録するものである。更に、ファイナライズ処理の指示が出た場合に、第１の記録層の残りの未記録領域及び第２の記録層の未記録領域には、第１の記録層のユーザーデータの記録条件と同じ条件でダミーデータを記録している。第１の記録層のユーザーデータの記録条件は、光ディスクの第１の記録層の管理領域に記録されているので、第１の記録層の残りの未記録領域及び第２の記録層の未記録領域にダミーデータを記録する場合には、第１の記録層の記録層のデータ終了位置から管理領域にレーザ光の照射位置を移動させて、記録条件を読み出した後、再び第１の記録層の未記録領域及び第２の記録層の未記録領域までレーザ光の照射位置を戻してダミーデータを記録していた。
【０００４】
【特許文献１】特開２００６−２３６４８３号公報
【発明の開示】
【発明が解決しようとする課題】
【０００５】
しかしながら、レーザ光の照射位置は、第１の記録層の記録領域にユーザーデータを記録した後は、第１の記録層の記録領域→管理領域→第１の記録層及び第２の記録層の未記録領域という経路で移動する必要があり、このようなレーザ光の照射位置の移動により時間のロスを生じていた。
また、ユーザーデータの記録は、レーザ光の複雑な照射ストラテジが必要であったり、光ディスクのトラックのクロストークを生じることなく行う必要があるため時間がかかっても精度良く行う必要があったが、ダミーデータの記録もユーザーデータの記録と同一条件で行っていたため、長時間を要していた。
そこで、本発明は、上記のような問題点を解決するためになされたもので、未記録領域へのダミーデータの記録の際、ダミーデータの記録条件を見直すことに加え、ダミーデータの記録条件の読み出しを行うためのレーザ光の照射位置の移動を最小限に抑えることによりファイナライズ処理にかかる時間を短縮することができる光ディスク記録方法を提供することを目的とする。
【課題を解決するための手段】
【０００６】
本発明に係る第1の発明は、片面に複数の記録層を有する書き換え可能な光ディスクに情報を記録する光ディスク記録方法であって、光ディスクにユーザーデータを記録しユーザーデータ記録領域を形成するユーザーデータ記録ステップと、ユーザーデータ記録ステップ終了後、ユーザーデータ記録領域の終端からユーザーデータの記録管理情報を記録し記録条件領域を形成する、ユーザーデータ管理情報記録ステップと、ユーザーデータ管理情報記録ステップ終了後に、ユーザーデータを記録した記録層とは別の記録層の未記録領域に、ダミーデータを記録しダミーデータ記録領域を形成するダミーデータ記録ステップと、ダミーデータ記録ステップ終了後、ダミーデータ記録領域の終端からダミーデータの記録管理情報を記録しダミーデータ条件領域を形成する、ダミーデータ管理情報記録ステップと、ファイナライズ処理の指令を受取った場合に、ダミーデータ条件領域から、ダミーデータの記録条件を読み出すダミーデータ記録条件読み出しステップと、ダミーデータ記録条件読み出しステップにて読み出した、ダミーデータの記録条件にて光ディスクの各層にある未記録領域にダミーデータを記録し、ファイナライズ処理を行うファイナライズ処理ステップとを含むことを特徴とする光ディスク記録方法を提供する。
【０００７】
また、本発明に係る第２の発明は、ダミーデータを記録する場合の光ディスクの回転速度を、ダミーデータの記録を行う光ディスク装置における記録可能な最大速度とすることを特徴とする第１の発明に記載の光ディスク記録方法を提供する。
【発明の効果】
【０００８】
本発明によれば、片面に複数の記録層を有する書き換え可能な光ディスクにユーザーデータの記録の終了後、ユーザーデータを記録した記録層とは別の記録層の未記録領域にダミーデータを記録し、ダミーデータ記録領域の終端部にダミーデータの記録管理情報を記録すると共に、ダミーデータを記録する場合の光ディスクの回転速度が光ディスク装置における記録可能な最大速度であるため、ファイナライズ処理の指令を受取った場合に、ダミーデータの記録条件の読み出し時間を減らすことができると共に、高速にダミーデータの記録を行うことができる。
これにより、ファイナライズ処理を迅速に終了することができるため、速やかに次の光ディスクの記録又は再生動作に移行することができる。
【発明を実施するための最良の形態】
【０００９】
以下に、本発明の実施形態に係る光ディスク記録方法について、図面を参照して詳細に説明する。
図１は、本発明に用いる光ディスク装置のブロック図である。図２は、本発明に用いる光ディスクの領域を示す斜視図である。図３は、本発明に用いる光ディスクのＡ−Ａ’断面を示す図である。図４は、本発明の実施形態に係る光ディスク記録方法を説明するための光ディスクのＡ−Ａ’断面図である。図５は、本発明の実施形態に係る光ディスク記録方法を説明するための別の動作例を示す光ディスクのＡ−Ａ’断面図である。
【００１０】
本発明に用いる光ディスク装置１について、図１を用いて説明する。
図１に示すように、光ディスク装置１は、光ディスク装置１に挿入された片面に２層の記録層を有する書き換え可能な光ディスク２に対してユーザーデータの記録又は再生を行う光ピックアップ３と、光ピックアップ３を駆動して光ディスク２に記録又は再生する制御信号を出力すると共に、光ピックアップ３で得られた光ディスク２からのユーザーデータを処理する記録再生回路４と、光ディスク装置１の各構成部を制御する制御回路５とから構成されている。
【００１１】
更に、制御回路５は、制御プログラムを格納するプログラムメモリ６と、外部からの操作信号に基づき、プログラムメモリ６から制御プログラムを読み込んで光ピックアップ３や記録再生回路４の制御を行うマイコン７と、光ディスク２の記録層に対するユーザーデータの記録を行うためにユーザーデータを一時保管すると共に、ユーザーデータ及びダミーデータの記録条件を一時保管するデータメモリ８と、記録再生回路４との情報の交換をする内部バス９とから構成される。
【００１２】
本発明に用いる光ディスク２について図２及び図３を用いて説明する。
図２に示すように、光ディスク２は、中心に中心孔Ｃを有し、この中心孔Ｃから外周方向に向かって、管理領域１０と、ユーザーデータを記録するユーザーデータ記録領域１１と、中間領域１２とを有している。
管理領域１０は、第１の記録層１３及び第２の記録層１４へユーザーデータ及びダミーデータを記録する際に用いられるレーザ光の最適記録パワーを取得するための試し書きをする領域と、記録領域の位置及び記録条件等の記録管理情報が記録されている領域とを含んでいる。
また、図３に示すように、光ディスク２の積層断面方向には、透明基板１５上に第１の記録層１３と第２の記録層１４が順次積層されている。
【００１３】
次に、上記した光ディスク２のファイナライズ処理について、図４を用いて説明する。
以下では、光ディスク２の第１の記録層１３に対して、中心（中心孔Ｃ）から外周方向に向かって半径位置Ｘまでユーザーデータを記録し、引き続き第２の記録層１４の半径位置Ｘまでダミーデータを記録した後、ファイナライズ処理をすることについて説明する。
まず、光ディスク装置１に光ディスク２が挿入され、外部からの第１の記録層１３の半径位置Ｘまでユーザーデータを記録するという指示信号に基づき、図４（Ａ）に示すように、レーザ光の照射位置を第１の記録層１３の管理領域１０の端に合わせ、そこから外周方向に向かって半径位置Ｘまでユーザーデータ（以下、記録領域１６とする）を記録し、ユーザーデータの記録終了後、記録領域１６の終端部の外周側にユーザーデータの記録管理情報（以下、記録条件領域１７とする）を記録する。
【００１４】
次に、ユーザーデータの記録が終わり、光ディスク装置１に記録又は再生の指示が無い空き時間に、図４（Ｂ）に示すように、レーザ光の照射位置を第２の記録層１４の管理領域１０の端に合わせ、そこから外周方向に向かって半径位置Ｘまでダミーデータ（以下、ダミーデータ記録領域１８とする）を記録し、ダミーデータの記録終了後、ダミーデータ記録領域１８の終端部の外周側にダミーデータの記録管理情報（以下、ダミーデータ条件領域１９とする）を記録する。
ここで、ダミーデータは、再生時の読み出し品質を高める必要が無く、何らかのデータが記録されていることが確認できればよいため、ダミーデータの記録条件のうち光ディスク２の回転速度については、ユーザーデータの記録時と同等ではなく、光ディスク装置１が性能として有する記録可能な最大の回転速度（回転数）に設定して行う。
【００１５】
次に、図４（Ｂ）に示す状態の光ディスク２に対して、外部からファイナライズ処理をするという操作信号が供給された場合、第２の記録層１４の半径位置Ｘにレーザ光の照射位置を合わせ、ダミーデータ条件領域１９に記録されている、ダミーデータ記録管理情報を読み出す。
ダミーデータの記録管理情報を読み出した後に、図４（Ｃ）に示すように、第２の記録層１４のダミーデータ条件領域１９の外周部から外周方向に向かって、第２の記録層１４のユーザーデータ記録領域１１の最外周部までダミーデータを記録する。第２の記録層１４へのダミーデータの記録後、ユーザーデータ記録領域１１の最外周部にてレーザ光の焦点位置を第２の記録層１４から第１の記録層１３に移し、第１の記録層１３のユーザーデータ記録領域１１の最外周部から内周方向に向かって、第１の記録層１３の半径位置Ｘに記録されている記録条件領域１７までダミーデータを記録する。ダミーデータの記録が終了した状態を図４（Ｄ）に示す。
これによって、光ディスク２の全ての記録層のユーザーデータ記録領域１１には、何らかのデータが記録されファイナライズ処理は完了する。ファイナライズ処理が完了すると、光ディスク２は光ディスク装置１から排出される。
【００１６】
以上のように、本発明の実施例によれば、ダミーデータ記録領域１８の終端部にあるダミーデータ条件領域１９にダミーデータの記録管理情報を記録するので、ファイナライズ処理の指示が出た場合、ダミーデータ条件領域１９からダミーデータの記録管理情報を読む込み、その場所からダミーデータを記録するため、レーザ光の照射位置の移動距離が短縮し、迅速にダミーデータの記録作業に移行することができ、結果としてファイナライズ処理のための時間が短縮できる。
それに加えて、ダミーデータの記録時の光ディスク２の回転速度を、光ディスク装置１の有する最大の回転速度で行うため、ダミーデータの記録時間を短縮することができる。
これらによって、ダミーデータの記録に至るまでの時間及び記録に費やす時間が短縮し、ファイナライズ処理を迅速に終了することができ、速やかに次の光ディスク２の記録又は再生動作に移行することができる。
【００１７】
次に、図４を用いて説明した動作例とは別の動作例として、光ディスク２の第１の記録層１３の全域及び第２の記録層１４の半径位置Ｙまでユーザーデータを記録し、引き続き第２の記録層１４にダミーデータを記録した後、ファイナライズ処理をすることについて、図５を用いて説明する。
光ディスク装置１に光ディスク２が挿入され、外部からの第２の記録層１４の半径位置Ｙまでユーザーデータを記録するという指示信号に基づき、図５（Ａ）に示すように、レーザ光の照射位置を第１の記録層１３の管理領域１０の端に合わせ、そこから外周方向に向かって、第１の記録層１３のユーザーデータ記録領域１１全域にユーザーデータを記録する。第１の記録層１３のユーザーデータ記録領域１１にユーザーデータの記録が終わると、ユーザーデータ記録領域１１の最外周部のレーザ光照射位置において、レーザ光の焦点位置を第１の記録層１３から第２の記録層１４に移し、第２の記録層１４のユーザーデータ記録領域１１の最外周部から内周方向に向かって半径位置Ｙまでユーザーデータの記録を行う。ユーザーデータの記録終了後、半径位置Ｙにある記録領域１６の終端部の内周側にユーザーデータの記録管理情報（記録条件領域１７）を記録する。
【００１８】
次に、ユーザーデータの記録が終わり、光ディスク装置１に記録又は再生の指示が無い空き時間に、図５（Ｂ）に示すように、レーザ光の照射位置を第２の記録層１４の記録条件領域１７の内周端に合わせ、そこから内周に向かってユーザーデータ記録領域１１の最内周部までダミーデータを記録し、ダミーデータの記録終了後、ダミーデータ領域１８の終端部の内周側にダミーデータの記録管理情報（ダミーデータ条件領域１９）を記録する。
【００１９】
次に、図５（Ｂ）に示す状態の光ディスク２に対して、ファイナライズ処理をするという外部からの操作信号が供給された場合、すでに上述の作業にて光ディスク２の全ての記録層のユーザーデータ記録領域１１に、何らかのデータが記録されているため、ファイナライズ処理でのダミーデータの記録を行う必要はなく、ファイナライズ処理を終了し、光ディスク２は光ディスク装置１から排出され、速やかに次の光ディスク２の記録または再生動作に移行することができる。
上記実施形態では、片面２層の記録層を有する書換え可能型の光ディスクであるが、これに限らず複数の記録層を持つ場合も、ダミーデータを記録後にダミーデータの管理情報の記録を行うことにより、同様に行うことができる。
【図面の簡単な説明】
【００２０】
【図１】本発明に用いる光ディスク装置のブロック図である。
【図２】本発明に用いる光ディスクの領域を示す斜視図である。
【図３】本発明に用いる光ディスクのＡ−Ａ’断面を示す図である。
【図４】本発明の実施形態に係る光ディスク記録方法を説明するための光ディスクのＡ-Ａ’断面図である。
【図５】本発明の実施形態に係る光ディスク記録方法を説明するための別の動作例を示す光ディスクのＡ-Ａ’断面図である。
【符号の説明】
【００２１】
１…光ディスク装置  、２…光ディスク  、３…光ピックアップ  、４…記録再生回路  、５…制御回路  、６…プログラムメモリ  、７…マイコン  、８…データメモリ  、９…内部バス  、１０…管理領域  、１１…ユーザーデータ記録領域  、１２…中間領域  、１３…第１の記録層  、１４…第２の記録層  、１５…透明基板  、１６…記録領域  、１７…記録条件領域  、１８…ダミーデータ記録領域  、１９…ダミーデータ条件領域
【図１】
2009032353.tif 000003
【図２】
2009032353.tif 000004
【図３】
2009032353.tif 000005
【図４】
2009032353.tif 000006
【図５】
2009032353.tif 000007